(57)【要約】      （修正有）【課題】多相交流電圧をバランス良く調整できる。【解決手段】複数相の交流電圧を負荷に配電する複数の配電線にそれぞれ設けられ、負荷に印加される負荷電圧を切り換えるためのタップをそれぞれ有する複数の変圧器と、タップを切り換えるタップ切換器と、を備えた電圧調整装置であって、電圧計測部と、電流計測部と、電圧及び電流に基づいて求められる負荷に実際に印加される電圧と、負荷に印加されるべき電圧との差分電圧を複数の配電線毎に算出する差分電圧算出部と、複数の差分電圧が予め決められた差分電圧範囲内にあるか否かを判定する差分電圧判定部と、何れかの差分電圧が予め決められた差分電圧範囲内にはないと差分電圧判定部が判定した場合、該当の差分電圧を予め決められた差分電圧範囲内とすべくタップ切換器を制御するタップ切換制御部と、を備えてなる。【選択図】図１
2006048334.tif 000002
【特許請求の範囲】
【請求項１】
複数相の交流電圧を負荷に配電する複数の配電線にそれぞれ設けられ、前記負荷に印加される負荷電圧を切り換えるためのタップをそれぞれ有する複数の変圧器と、前記タップを切り換えるタップ切換器と、を備えた電圧調整装置であって、
前記複数の配電線の電圧を計測する電圧計測部と、
前記複数の配電線の電流を計測する電流計測部と、
前記電圧計測部により計測された電圧及び前記電流計測部により計測された電流に基づいて求められる前記負荷に実際に印加される電圧と、前記負荷に印加されるべき電圧との差分電圧を前記複数の配電線毎に算出する差分電圧算出部と、
前記差分電圧算出部により算出された複数の差分電圧が予め決められた差分電圧範囲内にあるか否かを判定する差分電圧判定部と、
何れかの前記差分電圧が前記予め決められた差分電圧範囲内にはないと前記差分電圧判定部が判定した場合、該当の差分電圧を前記予め決められた差分電圧範囲内とすべく前記タップ切換器を制御するタップ切換制御部と、
を備えたことを特徴とする電圧調整装置。
【請求項２】
前記差分電圧算出部は、前記複数の配電線毎に、
前記電流計測部により計測された電流に基づいて前記配電線における前記負荷までの電圧降下を算出し、
前記電圧計測部により計測された電圧から前記電圧降下を減算して、前記負荷に実際に印加される電圧を求める、
ことを特徴とする請求項１に記載の電圧調整装置。
【請求項３】
前記タップ切換制御部は、何れかの前記差分電圧が前記予め決められた差分電圧範囲内にはないと前記差電圧判定部が所定時間判定し続けた場合、該当の差分電圧を前記予め決められた差分電圧範囲内とすべく前記タップ切換器を制御する、ことを特徴とする請求項１又は２に記載の電圧調整装置。
【請求項４】
複数の前記差分電圧が前記予め決められた差分電圧範囲内にはないと前記差分電圧判定部が判定した場合、前記タップ切換制御部は、当該複数の差分電圧の絶対値を求め、当該複数の差分電圧のうち、前記絶対値が最大となる差分電圧に該当する前記配電線に設けられた前記変圧器のタップを切り換えるべく前記タップ切換器を制御する、ことを特徴とする請求項１乃至３の何れかに記載の電圧調整装置。
【請求項５】
前記タップ切換制御部は、前記絶対値が最大である差分電圧が負である場合、前記負荷に印加される負荷電圧を上昇させるべく前記タップ切換器を制御し、前記絶対値が最大である差分電圧が正である場合、前記負荷に印加される負荷電圧を下降させるべく前記タップ切換器を制御する、ことを特徴とする請求項４に記載の電圧調整装置。
【請求項６】
前記差分電圧算出部により算出された複数の差分電圧を示す差分電圧データを、該当する前記配電線に設けられた前記変圧器のタップを特定するタップ特定データとそれぞれ対応付けて記憶する差分電圧記憶部を更に備えたことを特徴とする請求項１乃至５に記載の電圧調整装置。
【請求項７】
前記差分電圧記憶部に記憶される差分電圧を示す差分電圧データは、当該差分電圧の絶対値を示すデータである、ことを特徴とする請求項６に記載の電圧調整装置。
【請求項８】
複数の前記差分電圧が前記予め決められた差分電圧範囲内にはないと前記差分電圧判定部が判定した場合、前記タップ切換制御部は、前記差分電圧記憶部に記憶された当該複数の差分電圧を示す複数の差分電圧データのうち、前記絶対値が最大となる差分電圧データに対応する前記タップ特定データで特定されるタップを切り換えるべく前記タップ切換器を制御する、ことを特徴とする請求項７に記載の電圧調整装置。
【請求項９】
複数相の交流電圧を負荷に配電する複数の配電線にそれぞれ設けられ、前記負荷に印加される負荷電圧を切り換えるためのタップをそれぞれ有する複数の変圧器と、前記タップを切り換えるタップ切換器と、を備えた電圧調整装置の電圧調整方法であって、
前記複数の配電線の電圧及び電流を計測する電圧／電流計測ステップと、
前記電圧／電流計測ステップにおいて計測された電圧及び電流に基づいて求められる前記負荷に実際に印加される電圧と、前記負荷に印加されるべき電圧との差分電圧を前記複数の配電線毎に算出する差分電圧算出ステップと、
前記差分電圧算出ステップにおいて算出された複数の差分電圧が予め決められた差分電圧範囲内にあるか否かを判定する差分電圧判定ステップと、
前記差分電圧判定ステップにおいて何れかの前記差分電圧が前記予め決められた差分電圧範囲内にはないと判定された場合、該当の差分電圧を前記予め決められた差分電圧範囲内とすべく前記タップ切換器を制御するタップ切換制御ステップと、
を備えたことを特徴とする電圧調整方法。
【請求項１０】
前記差分電圧算出ステップは、前記複数の配電線毎に、
前記電圧／電流計測ステップにおいて計測された電流に基づいて前記配電線における前記負荷までの電圧降下を算出し、
前記電圧／電流計測ステップにおいて計測された電圧から前記電圧降下を減算して、前記負荷に実際に印加される電圧を求める、
ことを特徴とする請求項９に記載の電圧調整方法。
【請求項１１】
前記タップ切換制御ステップは、何れかの前記差分電圧が前記予め決められた差分電圧範囲内にはないと前記差分電圧判定ステップにおいて所定時間判定され続けた場合、該当の差分電圧を前記予め決められた差分電圧範囲内とすべく前記タップ切換器を制御する、ことを特徴とする請求項９又は１０に記載の電圧調整方法。
【請求項１２】
前記タップ切換制御ステップは、複数の前記差分電圧が前記予め決められた差分電圧範囲内にはないと前記差分電圧判定ステップにおいて判定された場合、当該複数の差分電圧の絶対値を求め、当該複数の差分電圧のうち、前記絶対値が最大となる差分電圧に該当する前記配電線に設けられた前記変圧器のタップを切り換えるべく前記タップ切換器を制御する、ことを特徴とする請求項９乃至１１の何れかに記載の電圧調整方法。
【請求項１３】
前記タップ切換制御ステップは、前記絶対値が最大である差分電圧が負である場合、前記負荷に印加される負荷電圧を上昇させるべく前記タップ切換器を制御し、前記絶対値が最大である差分電圧が正である場合、前記負荷に印加される負荷電圧を下降させるべく前記タップ切換器を制御する、ことを特徴とする請求項１２に記載の電圧調整方法。
【請求項１４】
複数相の交流電圧を負荷に配電する複数の配電線にそれぞれ設けられ、前記負荷に印加される負荷電圧を切り換えるためのタップをそれぞれ有する複数の変圧器と、前記タップを切り換えるタップ切換器と、を備えた電圧調整装置に電圧調整方法を実行させる電圧調整プログラムであって、
前記複数の配電線の電圧及び電流を計測する電圧／電流計測ステップと、
前記電圧／電流計測ステップにおいて計測された電圧及び電流に基づいて求められる前記負荷に実際に印加される電圧と、前記負荷に印加されるべき電圧との差分電圧を前記複数の配電線毎に算出する差分電圧算出ステップと、
前記差分電圧算出ステップにおいて算出された複数の差分電圧が予め決められた差分電圧範囲内にあるか否かを判定する差分電圧判定ステップと、
前記差分電圧判定ステップにおいて何れかの前記差分電圧が前記予め決められた差分電圧範囲内にはないと判定された場合、該当の差分電圧を前記予め決められた差分電圧範囲内とすべく前記タップ切換器を制御するタップ切換制御ステップと、
を備えたことを特徴とする電圧調整プログラム。
【発明の詳細な説明】
【技術分野】
【０００１】
本発明は、複数相の交流電圧を負荷に配電する配電線における電圧降下に備えて、変圧器のタップを切り換えることにより配電線の電圧を調整する電圧調整装置、電圧調整方法、及び当該電圧調整装置に電圧調整方法を実行させるプログラムに関する。
【背景技術】
【０００２】
電力供給における電圧の安定化は必須であるため、例えば変電設備では電圧調整装置により配電線の電圧調整が行われる。特に、変電設備からユーザまでの配電線が長い場合、当該ユーザにおける負荷の軽重に応じて電圧変動も大きくなる。そこで、変電設備は、電圧調整装置が備える変圧器によりユーザの使用レベルまで電圧を下げて配電する際、当該変圧器のタップ切り換えを自動的に行い規定の電圧を維持している。
【０００３】
例えば三本の配電線を通じて三相の交流電圧を負荷に配電する際、当該負荷に印加される三相の負荷電圧をタップ切換変圧器により一括して調整する電圧調整装置が知られている（例えば、特許文献１参照。）。
【特許文献１】特開平１１−２７３９７２号公報
【発明の開示】
【発明が解決しようとする課題】
【０００４】
ところで、前述した特許文献１に開示された電圧調整装置は、三相の電圧の何れかを計測し、当該計測値に基づいてタップ切換変圧器のタップを切り換えることにより、三相の電圧を均一に上昇又は下降させるものである。例えば三相の電圧のうちの一又は二相の電圧のみが偏って降下した場合でも、この電圧調整装置は三相の電圧を均一に調整する。このため、例えば、或る相では負荷電圧が上昇し過ぎる一方、他の相では負荷電圧の上昇が不十分であるという問題が生じる虞がある。つまり、負荷に印加されるべき三相の電圧にアンバランスが生じる虞がある。特に、負荷が三相モータの場合、その正常な回転には三相の電圧のバランスが不可欠である。ところで、三相の交流電圧の需要としては、この三相のうちの何れか一相を使用する場合もある。もし、三相モータに対して三相の交流電圧を供給しているときに、単相の負荷に対して何れか一相のみの交流電圧を更に供給する場合、前述した電圧調整装置では、この単相の電圧変動分のアンバランスを解消しきれない虞があり、よって三相モータの回転が正常でなくなる虞がある。
【０００５】
本発明はかかる課題に鑑みてなされたものであり、その目的とするところは、複数の配電線を通じて負荷に対して複数相の交流電圧を配電する変圧器において、当該負荷に印加される複数相の交流電圧をバランス良く調整することにある。
【課題を解決するための手段】
【０００６】
前記課題を解決するための発明は、複数相の交流電圧を負荷に配電する複数の配電線にそれぞれ設けられ、前記負荷に印加される負荷電圧を切り換えるためのタップをそれぞれ有する複数の変圧器と、前記タップを切り換えるタップ切換器と、を備えた電圧調整装置であって、前記複数の配電線の電圧を計測する電圧計測部と、前記複数の配電線の電流を計測する電流計測部と、前記電圧計測部により計測された電圧及び前記電流計測部により計測された電流に基づいて求められる前記負荷に実際に印加される電圧と、前記負荷に印加されるべき電圧との差分電圧を前記複数の配電線毎に算出する差分電圧算出部と、前記差分電圧算出部により算出された複数の差分電圧が予め決められた差分電圧範囲内にあるか否かを判定する差分電圧判定部と、何れかの前記差分電圧が前記予め決められた差分電圧範囲内にはないと前記差分電圧判定部が判定した場合、該当の差分電圧を前記予め決められた差分電圧範囲内とすべく前記タップ切換器を制御するタップ切換制御部と、を備えてなる。
【０００７】
この電圧調整装置によれば、複数の配電線毎、即ち複数相毎に差分電圧が算出され判定される。また、何れかの差分電圧が予め決められた差分電圧範囲内にないと判定されれば、この判定結果に基づいて、該当の差分電圧を予め決められた差分電圧範囲内とすべくタップ切換器が制御される。例えば、複数相のうちの一部の相の差分電圧が予め決められた差分電圧範囲内になく、他の相の差分電圧は予め決められた差分電圧範囲内にあるとすれば、当該一部の相の差分電圧に該当する変圧器に設けられたタップが切り換え対象となる。換言すれば、差分電圧が、例えば負荷に印加されるべき電圧からの許容変位よりも大きい相に該当するタップのみが切り換えられ得ることになり、よって複数相の交流電圧をバランス良く調整できる。
【０００８】
また、かかる電圧調整装置において、前記差分電圧算出部は、前記複数の配電線毎に、前記電流計測部により計測された電流に基づいて前記配電線における前記負荷までの電圧降下を算出し、前記電圧計測部により計測された電圧から前記電圧降下を減算して、前記負荷に実際に印加される電圧を求める、ことが好ましい。
【０００９】
この電圧調整装置によれば、複数の配電線毎、即ち複数相毎に、当該配電線における例えば変圧器から負荷までの電圧降下が算出される。また、複数相毎に、電圧計測部により計測された電圧から電圧降下が減算されて、負荷に実際に印加される電圧とされる。これにより、例えば複数相毎に異なる電圧降下に応じて、複数相の交流電圧をバランス良く調整できる。
【００１０】
また、かかる電圧調整装置において、前記タップ切換制御部は、何れかの前記差分電圧が前記予め決められた差分電圧範囲内にはないと前記差電圧判定部が所定時間判定し続けた場合、該当の差分電圧を前記予め決められた差分電圧範囲内とすべく前記タップ切換器を制御する、ことが好ましい。
【００１１】
この電圧調整装置によれば、何れかの差分電圧が予め決められた差分電圧範囲内にはない旨を、瞬時ではなく例えば所定時間内に一回又は所定時間内に複数回連続して判定する度に、タップ切換制御部の前記の動作が実行される。よって、タップ切換制御部の動作精度がより向上し、複数相の交流電圧をバランス良く調整できる。
【００１２】
また、かかる電圧調整装置において、複数の前記差分電圧が前記予め決められた差分電圧範囲内にはないと前記差分電圧判定部が判定した場合、前記タップ切換制御部は、当該複数の差分電圧の絶対値を求め、当該複数の差分電圧のうち、前記絶対値が最大となる差分電圧に該当する前記配電線に設けられた前記変圧器のタップを切り換えるべく前記タップ切換器を制御する、ことが好ましい。
【００１３】
この電圧調整装置によれば、複数相が例えばタップの切換対象となった場合、該当する差分電圧が差分電圧範囲から最もずれている相について優先的にタップが切り換えられる。よって、タップ切換制御部の動作がより効率的になり、複数相の交流電圧をバランス良く調整できる。
【００１４】
また、かかる電圧調整装置において、前記タップ切換制御部は、前記絶対値が最大である差分電圧が負である場合、前記負荷に印加される負荷電圧を上昇させるべく前記タップ切換器を制御し、前記絶対値が最大である差分電圧が正である場合、前記負荷に印加される負荷電圧を下降させるべく前記タップ切換器を制御する、ことが好ましい。また、かかる電圧調整装置において、前記差分電圧算出部により算出された複数の差分電圧を示す差分電圧データを、該当する前記配電線に設けられた前記変圧器のタップを特定するタップ特定データとそれぞれ対応付けて記憶する差分電圧記憶部を更に備えたことが好ましい。また、かかる電圧調整装置において、前記差分電圧記憶部に記憶される差分電圧を示す差分電圧データは、当該差分電圧の絶対値を示すデータである、ことが好ましい。また、かかる電圧調整装置において、複数の前記差分電圧が前記予め決められた差分電圧範囲内にはないと前記差分電圧判定部が判定した場合、前記タップ切換制御部は、前記差分電圧記憶部に記憶された当該複数の差分電圧を示す複数の差分電圧データのうち、前記絶対値が最大となる差分電圧データに対応する前記タップ特定データで特定されるタップを切り換えるべく前記タップ切換器を制御する、ことが好ましい。
【００１５】
また、前記課題を解決するための発明は、複数相の交流電圧を負荷に配電する複数の配電線にそれぞれ設けられ、前記負荷に印加される負荷電圧を切り換えるためのタップをそれぞれ有する複数の変圧器と、前記タップを切り換えるタップ切換器と、を備えた電圧調整装置の電圧調整方法であって、前記複数の配電線の電圧及び電流を計測する電圧／電流計測ステップと、前記電圧／電流計測ステップにおいて計測された電圧及び電流に基づいて求められる前記負荷に実際に印加される電圧と、前記負荷に印加されるべき電圧との差分電圧を前記複数の配電線毎に算出する差分電圧算出ステップと、前記差分電圧算出ステップにおいて算出された複数の差分電圧が予め決められた差分電圧範囲内にあるか否かを判定する差分電圧判定ステップと、前記差分電圧判定ステップにおいて何れかの前記差分電圧が前記予め決められた差分電圧範囲内にはないと判定された場合、該当の差分電圧を前記予め決められた差分電圧範囲内とすべく前記タップ切換器を制御するタップ切換制御ステップと、を備えてなる。
【００１６】
また、かかる電圧調整方法において、前記差分電圧算出ステップは、前記複数の配電線毎に、前記電圧／電流計測ステップにおいて計測された電流に基づいて前記配電線における前記負荷までの電圧降下を算出し、前記電圧／電流計測ステップにおいて計測された電圧から前記電圧降下を減算して、前記負荷に実際に印加される電圧を求める、ことが好ましい。
【００１７】
また、かかる電圧調整方法において、前記タップ切換制御ステップは、何れかの前記差分電圧が前記予め決められた差分電圧範囲内にはないと前記差分電圧判定ステップにおいて所定時間判定され続けた場合、該当の差分電圧を前記予め決められた差分電圧範囲内とすべく前記タップ切換器を制御する、ことが好ましい。
【００１８】
また、かかる電圧調整方法において、前記タップ切換制御ステップは、複数の前記差分電圧が前記予め決められた差分電圧範囲内にはないと前記差分電圧判定ステップにおいて判定された場合、当該複数の差分電圧の絶対値を求め、当該複数の差分電圧のうち、前記絶対値が最大となる差分電圧に該当する前記配電線に設けられた前記変圧器のタップを切り換えるべく前記タップ切換器を制御する、ことが好ましい。
【００１９】
また、かかる電圧調整方法において、前記タップ切換制御ステップは、前記絶対値が最大である差分電圧が負である場合、前記負荷に印加される負荷電圧を上昇させるべく前記タップ切換器を制御し、前記絶対値が最大である差分電圧が正である場合、前記負荷に印加される負荷電圧を下降させるべく前記タップ切換器を制御する、ことが好ましい。
【００２０】
また、前記課題を解決するための発明は、複数相の交流電圧を負荷に配電する複数の配電線にそれぞれ設けられ、前記負荷に印加される負荷電圧を切り換えるためのタップをそれぞれ有する複数の変圧器と、前記タップを切り換えるタップ切換器と、を備えた電圧調整装置に電圧調整方法を実行させる電圧調整プログラムであって、前記複数の配電線の電圧及び電流を計測する電圧／電流計測ステップと、前記電圧／電流計測ステップにおいて計測された電圧及び電流に基づいて求められる前記負荷に実際に印加される電圧と、前記負荷に印加されるべき電圧との差分電圧を前記複数の配電線毎に算出する差分電圧算出ステップと、前記差分電圧算出ステップにおいて算出された複数の差分電圧が予め決められた差分電圧範囲内にあるか否かを判定する差分電圧判定ステップと、前記差分電圧判定ステップにおいて何れかの前記差分電圧が前記予め決められた差分電圧範囲内にはないと判定された場合、該当の差分電圧を前記予め決められた差分電圧範囲内とすべく前記タップ切換器を制御するタップ切換制御ステップと、を備えてなる。
【発明の効果】
【００２１】
複数の配電線を通じて負荷に対して複数相の交流電圧を配電する変圧器において、当該負荷に印加される複数相の交流電圧をバランス良く調整できる。
【発明を実施するための最良の形態】
【００２２】
＝＝＝電圧調整装置の構成＝＝＝
図１のブロック図に例示されるように、本実施の形態の三相型の電圧調整装置１０は、主として、タップ２０（２０ｕ、２０ｖ、２０ｗ）が設けられた調整変圧器（変圧器）３０（３０ｕ、３０ｖ、３０ｗ）と、タップ切換器４０と、計器用変圧器（電圧計測部）５０（５０ｕ、５０ｖ、５０ｗ）と、変流器（電流計測部）６０（６０ｕ、６０ｖ、６０ｗ）と、制御基板７０と、直列変圧器８０（８０ｕ、８０ｖ、８０ｗ）とを備えて構成されている。この電圧調整装置１０の入力側及び出力側にはＵ相、Ｖ相、Ｗ相に該当する端子がそれぞれ設けられており、出力側の３つの端子にそれぞれ接続される３本の配電線を通じて負荷９０に三相の交流電圧が配電される。尚、本実施の形態の電圧調整装置１０は三相の交流電圧に対応するものであるが、これに限定されるものではなく、一般に複数相の交流電圧に対応するものであってよい。
【００２３】
調整変圧器３０は、Ｕ相、Ｖ相、Ｗ相の配電線に対してそれぞれ独立の変圧機能を有する調整変圧器３０ｕ、３０ｖ、３０ｗが同一の筺体に収容されて一体となったものである。尚、調整変圧器３０は、一体型に限定されるものではない。
【００２４】
タップ２０は、調整変圧器３０ｕ、３０ｖ、３０ｗに対して、４個のタップからなる３つのタップユニット２０ｕ、２０ｖ、２０ｗとしてそれぞれ設けられている。Ｕ相の調整変圧器３０ｕには、電位が０Ｖである第０タップ２００ｕ、電位が１４０Ｖである第１タップ２０１ｕ、電位が２８０Ｖである第２タップ２０２ｕ、電位が４２０Ｖである第３タップ２０３ｕがタップユニット２０ｕとして設けられている。Ｖ相の調整変圧器３０ｖには、電位が０Ｖである第０タップ２００ｖ、電位が１４０Ｖである第１タップ２０１ｖ、電位が２８０Ｖである第２タップ２０２ｖ、電位が４２０Ｖである第３タップ２０３ｖがタップユニット２０ｖとして設けられている。Ｗ相の調整変圧器３０ｗには、電位が０Ｖである第０タップ２００ｗ、電位が１４０Ｖである第１タップ２０１ｗ、電位が２８０Ｖである第２タップ２０２ｗ、電位が４２０Ｖである第３タップ２０３ｗがタップユニット２０ｗとして設けられている。尚、前述の０Ｖ、１４０Ｖ、２８０Ｖ、４２０Ｖの電圧設定は一例であり、これに限定されるものではない。
【００２５】
タップ切換器４０は、Ｕ相、Ｖ相、Ｗ相毎に、切換用リレー４１０（４１１ｕ乃至４１４ｕ、４１１ｖ乃至４１４ｖ、４１１ｗ乃至４１４ｗ）と、橋絡用リレー４２０（４２０ｕ、４２０ｖ、４２０ｗ）と、リレー４３０と、限流用抵抗４４０（４４１ｕ、４４２ｕ、４４１ｖ、４４２ｖ、４４１ｗ、４４２ｗ）とを備えて構成されるリレー回路４５０（４５０ｕ、４５０ｖ、４５０ｗ）からなっている。切換用リレー４１０はタップ切換を行い、橋絡用リレー４２０はタップ間を橋絡し、限流用抵抗４４０はタップ間の電流を限流するものである。
【００２６】
Ｕ相のリレー回路４５０ｕについて説明する。第３タップ２０３ｕ及び第１タップ２０１ｕに対しては、リレー回路４５０ｕの中間側（Ｘ１ｕ、図１参照）の電位が４２０Ｖ又は１４０Ｖとなるように第１切換用リレー４１１ｕを介して第１リレー回路４５１ｕが形成されている。ここで、第１切換用リレー４１１ｕは、図１におけるＵ３・Ｘ１ｕ間及びＵ１・Ｘ１ｕ間の一方を接続するとともに他方を遮断する構成となっている。
【００２７】
本実施の形態においては、後の説明上、Ｕ３・Ｘ１ｕ間を接続しＵ１・Ｘ１ｕ間を遮断する第１切換用リレー４１１ｕの状態をオンの状態とし、逆にＵ３・Ｘ１ｕ間を遮断しＵ１・Ｘ１ｕ間を接続する第１切換用リレー４１１ｕの状態をオフの状態とする。つまり、第１切換用リレー４１１ｕがオンの状態の場合、中間側Ｘ１ｕには４２０Ｖの電位が生じ、第１切換用リレー４１１ｕがオフの状態の場合、中間側Ｘ１ｕには１４０Ｖの電位が生じる。また、前述した中間側Ｘ１ｕとリレー回路４５０ｕの出力側Ｙｕ（図１参照）とには第４切換用リレー４１４ｕが接続されており、当該第４切換用リレー４１４ｕは、そのオン又はオフ状態に応じてＸ１ｕ・Ｙｕ間をそれぞれ接続又は遮断する構成を有している。
【００２８】
第２タップ２０２ｕ及び第０タップ２００ｕに対しては、リレー回路４５０ｕの中間側（Ｘ２ｕ、図１参照）の電位が２８０Ｖ又は０Ｖとなるように第２切換用リレー４１２ｕを介して第２リレー回路４５２ｕが形成されている。ここで、第２切換用リレー４１２ｕは、図１におけるＵ２・Ｘ２ｕ間及びＵ０・Ｘ２ｕ間の一方を接続するとともに他方を遮断する構成となっている。
【００２９】
本実施の形態においては、後の説明上、Ｕ２・Ｘ２ｕ間を接続しＵ０・Ｘ２ｕ間を遮断する第２切換用リレー４１２ｕの状態をオンの状態とし、逆にＵ２・Ｘ２ｕ間を遮断しＵ０・Ｘ２ｕ間を接続する第２切換用リレー４１２ｕの状態をオフの状態とする。つまり、第２切換用リレー４１２ｕがオンの状態の場合、中間側Ｘ２ｕには２８０Ｖの電位が生じ、第２切換用リレー４１２ｕがオフの状態の場合、中間側Ｘ２ｕには０Ｖの電位が生じる。また、前述した中間側Ｘ２ｕとリレー回路４５０ｕの出力側Ｙｕ（図１参照）とには第３切換用リレー４１３ｕが接続されており、当該第３切換用リレー４１３ｕは、そのオン又はオフ状態に応じてＸ２ｕ・Ｙｕ間をそれぞれ接続又は遮断する構成を有している。
【００３０】
また、前述した中間側Ｘ１ｕとリレー回路４５０ｕの出力側Ｙｕ（図１参照）とには、相互に直列接続された限流用抵抗４４１ｕ及び橋絡用リレー４２０ｕが接続され、前述した中間側Ｘ２ｕとリレー回路４５０ｕの出力側Ｙｕ（図１参照）とには、相互に直列接続された限流用抵抗４４２ｕ及び橋絡用リレー４２０ｕが接続されている。ここで、橋絡用リレー４２０ｕは、図１におけるＸ１ｕ・Ｙｕ間及びＸ２ｕ・Ｙｕ間をともに接続又は遮断する構成となっている。
【００３１】
図１に例示されるように、Ｖ相のリレー回路４５０ｖは、Ｕ相のリレー回路４５０ｕの場合と同様の構成を有する。即ち、Ｖ相のリレー回路４５０ｖは、４つの切換用リレー４１１ｖ乃至４１４ｖ、１つの橋絡用リレー４２０ｖ、及び２つの限流用抵抗４４１ｖ、４４２ｖを備えて構成されている。
【００３２】
また、図１に例示されるように、Ｗ相のリレー回路４５０ｗは、Ｕ相のリレー回路４５０ｕの場合と同様の構成を有する。即ち、Ｗ相のリレー回路４５０ｗは、４つの切換用リレー４１１ｗ乃至４１４ｗ、１つの橋絡用リレー４２０ｗ、及び２つの限流用抵抗４４１ｗ、４４２ｗを備えて構成されている。尚、タップ切換器４０は、リレー式に限定されるものではない。
【００３３】
計器用変圧器５０（５０ｕ、５０ｖ、５０ｗ）は、適宜なグラウンドに対する入力側端子Ｕ、Ｖ、Ｗの電圧をそれぞれ計測する計測装置である。  
変流器６０（６０ｕ、６０ｖ、６０ｗ）は、出力側端子ｕ、ｖ、ｗにおいて流れる電流をそれぞれ計測する計測装置である。  
制御基板７０は、前述したタップ切換器４０の動作を制御するためのＣＰＵを含む所定の回路が形成された基板である。
【００３４】
直列変圧器８０は、Ｕ相、Ｖ相、Ｗ相の配電線に対してそれぞれ独立の変圧機能を有する直列変圧器８０ｕ、８０ｖ、８０ｗが同一の筺体に収容されて一体となったものである。例えばＵ相の直列変圧器８０ｕは、Ｕ相のリレー回路４５０ｕの出力側（例えば図１のＹｕ）における電位０Ｖ乃至４２０Ｖを例えば３．５分の１である０Ｖ乃至１２０Ｖに変圧する機能を有している。この直列変圧器８０ｕからの出力が、入力側端子Ｕの電圧４２０Ｖに加えられることにより、出力側端子ｕの電圧は４２０Ｖ乃至５４０Ｖとなる。Ｖ相及びＷ相の直列変圧器８０ｖ、８０ｗについても、Ｕ相の直列変圧器８０ｕの場合と同様である。尚、直列変圧器８０は、一体型に限定されるものではない。
【００３５】
図２のブロック図に例示されるように、制御基板７０上に形成された回路は、前述したタップ切換器４０等を制御する制御部５００、タイマ６００、及びメモリ７００を有している。後述するように、制御部５００は、タップ切換器４０を構成する切換用リレー４１０ｕ、４１０ｖ、４１０ｗ及び橋絡用リレー４２０ｕ、４２０ｖ、４２０ｗを、Ｕ相、Ｖ相、Ｗ相毎に所定タイミングで所定時間だけオン又はオフの状態にするものである。この所定時間は、例えばタイマ６００により計測される。
【００３６】
また、後述するように、制御部５００は、計器用変圧器５０ｕ、５０ｖ、５０ｗ及び変流器６０ｕ、６０ｖ、６０ｗに電圧及び電流をそれぞれ計測させてから、負荷９０に実際に印加される電圧と当該負荷９０に印加されるべき電圧との差分電圧を算出して判定し、当該判定結果に基づいてタップ切換器４０を制御するまでの一連の動作を所定の周期で繰り返し行う機能を有するものである。尚、この判定に先立って、制御部５００は、ＲＯＭやＲＡＭ等のメモリ（差分電圧記憶部）７００に記憶された差分電圧データ８００を更新したり、読み出したりする。
【００３７】
差分電圧データ８００は、Ｕ相、Ｖ相、Ｗ相毎の、計器用変圧器５０ｕ、５０ｖ、５０ｗ及び変流器６０ｕ、６０ｖ、６０ｗに計測された電圧（Ｖｕ、Ｖｖ、Ｖｗ）及び電流（Ｉｕ、Ｉｖ、Ｉｗ）と、現時点で選択されているタップを特定する情報（Ｕ０乃至Ｕ３、Ｖ０乃至Ｖ３、Ｗ０乃至Ｗ３）（タップ特定データ）と、後述する差分電圧（Ｖｄ、Ｖｄ’）とを備えて構成される。
【００３８】
尚、本実施の形態の制御部５００は、一相ずつタップ切換器４０を制御するものである。
【００３９】
＝＝＝二相以上切換条件成立後のタップ選択動作＝＝＝
図３のフローチャートに例示されるように、先ず、制御部５００は、タイマ６００をリセットした後、時間の計測を開始させる（Ｓ１００）。  
計器用変圧器５０（５０ｕ、５０ｖ、５０ｗ）及び変流器６０（６０ｕ、６０ｖ、６０ｗ）にそれぞれ電圧及び電流を常時計測させている制御部５００は、電圧（Ｖｕ、Ｖｖ、Ｖｗ）及び電流（Ｉｕ、Ｉｖ、Ｉｗ）のデータを受信すると、タップ特定データ（Ｕ０乃至Ｕ３、Ｖ０乃至Ｖ３、Ｗ０乃至Ｗ３）とともに、Ｕ相、Ｖ相、Ｗ相毎に差分電圧データ８００としてメモリ７００に記憶させる（Ｓ１０１）。
【００４０】
次に、制御部５００は、メモリ７００に記憶された差分電圧データ８００から電流Ｉｕ、Ｉｖ、Ｉｗを読み出し、それぞれに配電線のインピーダンス（Ｚｕ、Ｚｖ、Ｚｗ）を乗算し、出力側端子ｕ、ｖ、ｗから負荷９０までの電圧降下を算出する。また、制御部５００は、メモリ７００に記憶された差分電圧データ８００から電圧Ｖｕ、Ｖｖ、Ｖｗを読み出し、それぞれから前述した電圧降下を減算し、負荷９０における末端電圧（ＶＬｕ＝Ｖｕ−Ｉｕ・Ｚｕ、ＶＬｖ＝Ｖｖ−Ｉｖ・Ｚｖ、ＶＬｗ＝Ｖｗ−Ｉｗ・Ｚｗ、負荷に実際に印加される電圧）を算出する。更に、制御部５００は、これら末端電圧と、負荷９０における基準設定電圧（Ｅ、負荷に印加されるべき電圧）との差分電圧（Ｖｄｕ＝ＶＬｕ−Ｅ、Ｖｄｖ＝ＶＬｖ−Ｅ、Ｖｄｗ＝ＶＬｗ−Ｅ）を算出し、メモリ７００に記憶された差分電圧データ８００に書き込んでこれを更新する（Ｓ１０２）。尚、各相の配電線のインピーダンス（Ｚｕ、Ｚｖ、Ｚｗ）は予めメモリ７００に記憶されており、制御部５００は当該メモリ７００からこのインピーダンスを読み出してもよい。若しくは、メモリ７００には各相の配電線の線種（断面積）及び長さが記憶されており、制御部５００は当該メモリ７００からこの線種及び長さを読み出し、これに基づいてインピーダンスを算出してもよい。また、例えば各相に共通の基準設定電圧（Ｅ）は予めメモリ７００に記憶されており、制御部５００は当該メモリ７００からこの基準設定電圧を読み出してもよい。
【００４１】
次に、制御部５００は、前述した３つの差分電圧（Ｖｄｕ、Ｖｄｖ、Ｖｄｗ）をメモリ７００から読み出して絶対値を求め、これらの絶対値のうちの少なくとも２つが、予め定められた許容値よりも大きいか否かを判定する（Ｓ１０３、Ｓ１０４、Ｓ１０５）。もし、何れか１つの絶対値のみが許容値よりも大きい場合（Ｓ１１４：ＹＥＳ）、制御部５００は後述する単相のタップ選択動作を実施する。また、もし、何れの絶対値も許容値以下である場合（Ｓ１１４：ＮＯ）、制御部５００はステップＳ１００の動作を繰り返す。尚、本実施の形態においては、前述した許容値をＱとしたとき、例えば−Ｑ以上＋Ｑ以下が、予め決められた差分電圧範囲に相当する。
【００４２】
もし、少なくとも２つの絶対値が許容値よりも大きい場合（Ｓ１０３：ＹＥＳ、Ｓ１０４：ＹＥＳ、Ｓ１０５：ＹＥＳ）、制御部５００は、タイマ６００により計測された時間が所定時間に達しているか否かを判定する（Ｓ１０６）。ここで、所定時間に達していれば（Ｓ１０６：ＹＥＳ）、後述するように、制御部５００は、最大の絶対値に該当する相を選出するにあたって、差分電圧Ｖｄｕ、Ｖｄｖ、Ｖｄｗに所定の処理を行う（Ｓ１０７）。一方、所定時間に達していなければ（Ｓ１０６：ＮＯ）、制御部５００は、ステップＳ１０１の動作を繰り返す。尚、本実施の形態においては、図３のステップＳ１０７の処理の手順の詳細は、以下図４のステップＳ１０７０１乃至Ｓ１０７２０から構成されている。
【００４３】
図４のフローチャートに例示されるように、Ｕ相について（Ｓ１０７１：Ｕ）、制御部５００は、これがタップの切換対象か否かを判定する（Ｓ１０７０２）。もし、Ｕ相が切換対象でなければ（Ｓ１０７０２：ＮＯ）、制御部５００は、Ｖｄｕ’＝０を新たな差分電圧とし（Ｓ１０７０７）、メモリ７００に記憶された差分電圧データ８００に書き込んでこれを更新する（Ｓ１０７２０）。
【００４４】
もし、Ｕ相がタップの切換対象であれば（Ｓ１０７０２：ＹＥＳ）、制御部５００は、Ｖｄｕの正負を判定する（Ｓ１０７０３）。ここで、Ｖｄｕが正の場合（Ｓ１０７０３：Ｖｄｕ＞０）、制御部５００は、メモリ７００に記憶された差分電圧データ８００のタップ特定データを参照し、Ｕ相の現時点のタップが最下降位置たる第０タップ２００ｕであるか否かを判定する（Ｓ１０７０４）。一方、Ｖｄｕが負の場合（Ｓ１０７０３：Ｖｄｕ＜０）、制御部５００は、メモリ７００に記憶された差分電圧データ８００のタップ特定データを参照し、Ｕ相の現時点のタップが最上昇位置たる第３タップ２０３ｕであるか否かを判定する（Ｓ１０７０６）。
【００４５】
もし、Ｖｄｕ＞０且つ現時点のタップが第０タップ２００ｕであれば（Ｓ１０７０４：ＹＥＳ）、制御部５００は、Ｖｄｕ’＝０を新たな差分電圧とし（Ｓ１０７０５）、メモリ７００に記憶された差分電圧データ８００に書き込んでこれを更新する（Ｓ１０７２０）。
【００４６】
もし、Ｖｄｕ＞０且つ現時点のタップが第０タップ２００ｕでなければ（Ｓ１０７０４：ＮＯ）、制御部５００は、Ｖｄｕ’＝Ｖｄｕ、即ち如何なる処理も施さないＶｄｕを新たな差分電圧として、メモリ７００に記憶された差分電圧データ８００に書き込んでこれを更新する（Ｓ１０７２０）。
【００４７】
もし、Ｖｄｕ＜０且つ現時点のタップが第３タップ２０３ｕであれば（Ｓ１０７０６：ＹＥＳ）、制御部５００は、Ｖｄｕ’＝０を新たな差分電圧とし（Ｓ１０７０７）、メモリ７００に記憶された差分電圧データ８００に書き込んでこれを更新する（Ｓ１０７２０）。
【００４８】
もし、Ｖｄｕ＜０且つ現時点のタップが第３タップ２０３ｕでなければ（Ｓ１０７０６：ＮＯ）、制御部５００は、Ｖｄｕ’＝Ｖｄｕ、即ち如何なる処理も施さないＶｄｕを新たな差分電圧として、メモリ７００に記憶された差分電圧データ８００に書き込んでこれを更新する（Ｓ１０７２０）。
【００４９】
図４のフローチャートに例示されるように、Ｖ相及びＷ相についても（Ｓ１０７０１：Ｖ及びＳ１０７０１：Ｗ）、制御部５００の動作（Ｓ１０７０８乃至Ｓ１０７１３及びＳ１０７１４乃至Ｓ１０７１９）は、前述したＵ相の場合（Ｓ１０７０２乃至Ｓ１０７０７）と同様である。
【００５０】
以上、Ｕ相、Ｖ相、Ｗ相について、メモリ７００に記憶された差分電圧データ８００に新たな差分電圧Ｖｄｕ’、Ｖｄｖ’、Ｖｄｗ’が書き込まれて更新される（Ｓ１０７２０）。ステップＳ１０７（図３）、即ちステップＳ１０７０１乃至Ｓ１０７２０（図４）の処理により、タップが切換対象でない相と、タップが更に上昇又は下降不可能である相とについて、差分電圧が０に再設定されることになる。
【００５１】
図３のフローチャートに戻って、制御部５００は、新たな差分電圧Ｖｄｕ’、Ｖｄｖ’、Ｖｄｗ’の絶対値を求め、２つの絶対値どうしを２回比較して最大値を求め（Ｓ１０８、Ｓ１０９、Ｓ１１２）、当該最大値に該当する相を差分電圧データ８００から見出し、この相のタップを切り換える（Ｓ１１０、Ｓ１１１、Ｓ１１３）。この場合、制御部５００は、差分電圧の正負に応じてタップを下降又は上昇させるべくタップ切換器４０を制御する。また、制御部５００は、差分電圧の絶対値の大きさに応じた刻み（１乃至３刻み）でタップを下降又は上昇させるべくタップ切換器４０を制御する。
【００５２】
以上、二相以上切換条件成立後は、絶対値が最大である差分電圧に該当する相のタップが先ず切り換えられた後、各相の電圧及び電流を計測する処理が再度実施される。
【００５３】
＝＝＝単相切換条件成立後のタップ選択動作＝＝＝
図３のフローチャートのステップＳ１１４：ＹＥＳ以降に例示されるように、Ｖｄｕ、Ｖｄｖ、Ｖｄｗの絶対値のうちの何れか１つのみが許容値よりも大きい場合、制御部５００は、タイマ６００により計測された時間が所定時間に達しているか否かを判定する（Ｓ１１５）。
【００５４】
所定時間に達していれば（Ｓ１１５：ＹＥＳ）、制御部５００は、許容値よりも大きな絶対値を有する差分電圧に該当する相を差分電圧データ８００より見出し、この相のタップを当該差分電圧の正負に応じて下降又は上昇させるべくタップ切換器４０を制御する。また、制御部５００は、差分電圧の絶対値の大きさに応じた刻み（１乃至３刻み）でタップを下降又は上昇させるべくタップ切換器４０を制御する（Ｓ１１６）。
【００５５】
一方、所定時間に達していなければ（Ｓ１１５：ＮＯ）、制御部５００は、ステップＳ１０１の動作を繰り返す。  
尚、ステップＳ１１５の直後に、例えば前述したステップＳ１０７０３乃至Ｓ１０７０７（図４）の処理を実施し、タップが更に上昇又は下降不可能である場合、差分電圧を０に再設定してもよい。
【００５６】
＝＝＝４６０Ｖから４２０Ｖへのタップ切換動作＝＝＝
前述したステップＳ１１０、Ｓ１１１、Ｓ１１３、及びＳ１１６におけるタップ切換動作の一例として、出力側端子ｕの電圧を４６０Ｖから４２０Ｖへ切り換えるべく、制御部５００が、第１タップ２０３ｕから第０タップ２００ｕへ切り換える動作について説明する。
【００５７】
＜＜＜(Ry1u, Ry2u, Ry3u, Ry4u, Ry5u)=(OFF, OFF, OFF, ON, OFF)＞＞＞
図５のダイアグラムにおける時間領域Ｔ１では、第１切換用リレー４１１ｕはオフの状態にあり、第２切換用リレー４１２ｕはオフの状態にあり、第３切換用リレー４１３ｕはオフの状態にあり、第４切換用リレー４１４ｕはオンの状態にあり、橋絡用リレー４２０ｕはオフの状態にある。これを例えば（Ｒｙ１ｕ、Ｒｙ２ｕ、Ｒｙ３ｕ、Ｒｙ４ｕ、Ｒｙ５ｕ）＝（ＯＦＦ、ＯＦＦ、ＯＦＦ、ＯＮ、ＯＦＦ）と略記する。この場合、Ｕ１からＸ１ｕ及びＹｕを介して直列変圧器８０ｕに至る経路（図６の太線参照）の電位はいたる所で１４０Ｖであり、直列変圧器８０ｕから第１タップ２００ｕに至る経路（図６の太線参照）の電位はいたる所で０Ｖである。つまり、第１タップ２０１ｕが選択されていることになり、出力側端子ｕの電圧は４６０（＝４２０＋１４０／３．５）Ｖである。尚、リレー４３０はオンである。
【００５８】
＜＜＜(Ry1u, Ry2u, Ry3u, Ry4u, Ry5u)=(OFF, OFF, OFF, ON, ON)＞＞＞
図５のダイアグラムにおける時間領域Ｔ２では、制御部５００から橋絡用リレー４２０ｕへオンの信号を送信し、（Ｒｙ１ｕ、Ｒｙ２ｕ、Ｒｙ３ｕ、Ｒｙ４ｕ、Ｒｙ５ｕ）＝（ＯＦＦ、ＯＦＦ、ＯＦＦ、ＯＮ、ＯＮ）とする。
【００５９】
本実施の形態の限流用抵抗４４１ｕ、４４２ｕの抵抗値は、Ｕ１からＸ１ｕ、Ｒｙ４ｕ、及びＹｕを介して直列変圧器８０ｕに至る経路（図７の太線参照）と、ＹｕからＲ２Ｕ及びＸ２ｕを介してＵ０に至る経路（図７の太線参照）とに主として電流が流れるように予め設定されている。尚、直列変圧器８０ｕから第１タップ２００ｕに至る経路（図７の太線参照）の電位はいたる所で０Ｖである。この場合、第１タップ２０１ｕが選択された状態が保持され、出力側端子ｕの電圧は４６０Ｖである。
【００６０】
＜＜＜(Ry1u, Ry2u, Ry3u, Ry4u, Ry5u)=(OFF, OFF, OFF, OFF, ON)＞＞＞
図５のダイアグラムにおける時間領域Ｔ３では、制御部５００から第４切換用リレー４１４ｕへオフの信号を送信し、（Ｒｙ１ｕ、Ｒｙ２ｕ、Ｒｙ３ｕ、Ｒｙ４ｕ、Ｒｙ５ｕ）＝（ＯＦＦ、ＯＦＦ、ＯＦＦ、ＯＦＦ、ＯＮ）とする。
【００６１】
本実施の形態においては、制御部５００が橋絡用リレー４２０ｕへオンの信号を送信してから第４切換用リレー４１４ｕへオフの信号を送信するまでの時間差は２００ｍｓである。（Ｒｙ１ｕ、Ｒｙ２ｕ、Ｒｙ３ｕ、Ｒｙ４ｕ、Ｒｙ５ｕ）＝（ＯＦＦ、ＯＦＦ、ＯＦＦ、ＯＦＦ、ＯＮ）の場合、リレー回路４５０ｕ内の電流は、Ｕ１からＲｙ１ｕ、Ｒ１Ｕ、及びＹｕを介して直列変圧器８０ｕに至る経路（図８の太線参照）と、ＹｕからＲ２Ｕ及びＸ２ｕを介してＵ０に至る経路（図８の太線参照）とに流れる。尚、直列変圧器８０ｕから第１タップ２００ｕに至る経路（図８の太線参照）の電位はいたる所で０Ｖである。この場合、変流器６０ｕで計測される負荷電流が０Ａの場合には、直列変圧器８０ｕの１次側の電位は、Ｕ１の１４０Ｖが限流用抵抗４４１ｕ、４４２ｕで２分割された７０Ｖである。一方、この負荷電流が例えば２３．８Ａの場合は、直列変圧器８０ｕのインピーダンス及び限流用抵抗４４１ｕ、４４２ｕの抵抗値に応じて、直列変圧器８０ｕの１次側の電位は例えば２Ｖとなる。よって、直列変圧器８０ｕの２次側の電位はおよそ１Ｖ（＝２Ｖ／３．５）乃至２０Ｖ（＝７０Ｖ／３．５）となり、出力側端子ｕの電圧はおよそ４２１Ｖ乃至４４０Ｖである。
【００６２】
このように、本実施の形態では、出力側端子ｕの電圧を４６０Ｖから４２０Ｖとすべくタップを切り換える途中では、急激に４２０Ｖに下降することはなく、４２０Ｖに対しておよそ１乃至７０Ｖの電圧が加えられるようになっている。
【００６３】
＜＜＜(Ry1u, Ry2u, Ry3u, Ry4u, Ry5u)=(OFF, OFF, ON, OFF, ON)＞＞＞
図５のダイアグラムにおける時間領域Ｔ４では、制御部５００から第３切換用リレー４１３ｕへオンの信号を送信し、（Ｒｙ１ｕ、Ｒｙ２ｕ、Ｒｙ３ｕ、Ｒｙ４ｕ、Ｒｙ５ｕ）＝（ＯＦＦ、ＯＦＦ、ＯＮ、ＯＦＦ、ＯＮ）とする。本実施の形態においては、制御部５００が第４切換用リレー４１４ｕへオフの信号を送信してから第３切換用リレー４１３ｕへオンの信号を送信するまでの時間差は１００ｍｓである。
【００６４】
本実施の形態の限流用抵抗４４１ｕ、４４２ｕの抵抗値は、Ｕ１からＲｙ１ｕ、Ｒ１Ｕ、及びＹｕを介して直列変圧器８０ｕに至る経路（図９の太線参照）と、ＹｕからＲｙ３ｕ及びＲｙ２ｕを介してＵ０に至る経路（図９の太線参照）とに主として電流が流れるように予め設定されている。尚、直列変圧器８０ｕから第１タップ２００ｕに至る経路（図９の太線参照）の電位はいたる所で０Ｖである。この場合、第０タップ２００ｕが選択されたこととなり、出力側端子ｕの電圧は４２０Ｖとなる。
【００６５】
＜＜＜(Ry1u, Ry2u, Ry3u, Ry4u, Ry5u)=(OFF, OFF, ON, OFF, OFF)＞＞＞
図５のダイアグラムにおける時間領域Ｔ５では、制御部５００から橋絡用リレー４２０ｕへオフの信号を送信し、（Ｒｙ１ｕ、Ｒｙ２ｕ、Ｒｙ３ｕ、Ｒｙ４ｕ、Ｒｙ５ｕ）＝（ＯＦＦ、ＯＦＦ、ＯＮ、ＯＦＦ、ＯＦＦ）とする。本実施の形態においては、制御部５００が第３切換用リレー４１３ｕへオンの信号を送信してから橋絡用リレー４２０ｕへオフの信号を送信するまでの時間差は２００ｍｓである。（Ｒｙ１ｕ、Ｒｙ２ｕ、Ｒｙ３ｕ、Ｒｙ４ｕ、Ｒｙ５ｕ）＝（ＯＦＦ、ＯＦＦ、ＯＮ、ＯＦＦ、ＯＦＦ）の場合、Ｕ０からＲｙ２ｕ及びＲｙ３ｕを介して直列変圧器８０ｕに至る経路（図１０の太線参照）の電位はいたる所で０Ｖであり、直列変圧器８０ｕから第１タップ２００ｕに至る経路（図１０の太線参照）の電位もいたる所で０Ｖである。つまり、第０タップ２００ｕが選択された状態が保持され、出力側端子ｕの電圧は４２０Ｖである。
【００６６】
図１１のダイアグラムに例示されるように、出力側端子ｕの電圧を４２０Ｖ、４６０Ｖ、５００Ｖ、及び５４０Ｖの何れかとすべくタップを上昇又は下降させるための制御部５００の動作は、前述した一連の動作と類似の動作である。例えば、図１１における５００Ｖから４６０Ｖへのタップの切換動作は、（Ｒｙ１ｕ、Ｒｙ２ｕ、Ｒｙ３ｕ、Ｒｙ４ｕ、Ｒｙ５ｕ）を（ＯＦＦ、ＯＮ、ＯＮ、ＯＦＦ、ＯＦＦ）の状態から、（ＯＦＦ、ＯＮ、ＯＮ、ＯＦＦ、ＯＮ）、（ＯＦＦ、ＯＮ、ＯＦＦ、ＯＦＦ、ＯＮ）、（ＯＦＦ、ＯＮ、ＯＦＦ、ＯＮ、ＯＮ）の状態を経て、（ＯＦＦ、ＯＮ、ＯＦＦ、ＯＮ、ＯＦＦ）の状態とすることにより実現される。
【００６７】
また、Ｖ相及びＷ相におけるタップの切換動作は、前述したＵ相におけるタップの切換動作と同様である。
【００６８】
＝＝＝各相のバランス＝＝＝
本実施の形態の電圧調整装置１０によれば、Ｕ相、Ｖ相、Ｗ相のうちの一部の相の差分電圧の絶対値が許容値より大きく、他の相の差分電圧の絶対値は許容値以下である場合、この一部の相の差分電圧に該当する変圧器に設けられたタップが切り換え対象となる。つまり、差分電圧が、負荷９０に印加されるべき基準設定電圧からの許容変位よりも大きい相に該当するタップのみが切り換えられ得ることになり、よって三相の交流電圧をバランス良く調整できる。
【００６９】
また、本実施の形態の電圧調整装置１０によれば、Ｖｄｕ、Ｖｄｖ、及びＶｄｗの絶対値の何れかが許容値よりも大きい旨を、瞬時ではなく例えば所定時間内に一回又は所定時間内に複数回連続して判定する度に（ステップＳ１０６及びＳ１１５）、制御部５００によるタップ選択動作が実行される。よって、制御部５００の動作精度がより向上し、三相の交流電圧をバランス良く調整できる。
【００７０】
更に、本実施の形態の電圧調整装置１０によれば、二相以上がタップの切換対象となった場合、該当する差分電圧の絶対値が最大の相について優先的にタップが切り換えられる。よって、制御部５００の動作がより効率的になり、三相の交流電圧をバランス良く調整できる。
【００７１】
尚、本実施の形態の制御部５００及びこの制御部５００に前述したステップＳ１０１（図３）の処理の動作を実行させるプログラムが、差分電圧算出部に相当する。また、本実施の形態の制御部５００及びこの制御部５００に前述したステップＳ１０３、Ｓ１０４、Ｓ１０５、及びＳ１１４（図３）の処理の動作を実行させるプログラムが、差分電圧判定部に相当する。また、本実施の形態の制御部５００及びこの制御部５００に前述したステップＳ１０６乃至Ｓ１１３、Ｓ１１５、及びＳ１１６（図３）の処理の動作を実行させるプログラムが、タップ切換制御部に相当する。
【００７２】
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【図面の簡単な説明】
【００７３】
【図１】本実施の形態の電圧調整装置の回路構成例を示すブロック図である。
【図２】本実施の形態の電圧調整装置の制御構成例を示すブロック図である。
【図３】本実施の形態の電圧調整装置のタップ選択動作を説明するためのフローチャートである。
【図４】本実施の形態の電圧調整装置のタップ選択動作を説明するためのもう一つのフローチャートである。
【図５】本実施の形態の電圧調整装置の切換用リレー及び橋絡用リレーの動作タイミングを説明するためのダイアグラムである。
【図６】時間領域Ｔ１における切換用リレー及び橋絡用リレーの状態を説明するための回路図である。
【図７】時間領域Ｔ２における切換用リレー及び橋絡用リレーの状態を説明するための回路図である。
【図８】時間領域Ｔ３における切換用リレー及び橋絡用リレーの状態を説明するための回路図である。
【図９】時間領域Ｔ４における切換用リレー及び橋絡用リレーの状態を説明するための回路図である。
【図１０】時間領域Ｔ５における切換用リレー及び橋絡用リレーの状態を説明するための回路図である。
【図１１】本実施の形態の電圧調整装置の切換用リレー及び橋絡用リレーの動作タイミングを説明するためのもう一つのダイアグラムである。
【符号の説明】
【００７４】
１０    電圧調整装置
２０ｕ、２０ｖ、２０ｗ    タップ
３０ｕ、３０ｖ、３０ｗ    調整変圧器
４０    タップ切換器
４１０ｕ、４１０ｖ、４１０ｗ    切換用リレー
４２０ｕ、４２０ｖ、４２０ｗ    橋絡用リレー
４３０    リレー
４４１ｕ、４４２ｕ、４４１ｖ、４４２ｖ、４４１ｗ、４４２ｗ    限流用抵抗
４５０ｕ、４５０ｖ、４５０ｗ    リレー回路
４５１ｕ、４５１ｖ、４５１ｗ    第１リレー回路
４５２ｕ、４５２ｖ、４５２ｗ    第２リレー回路
５０ｕ、５０ｖ、５０ｗ    計器用変圧器
６０ｕ、６０ｖ、６０ｗ    変流器
７０    制御基板
８０ｕ、８０ｖ、８０ｗ    直列変圧器
９０      負荷
５００    制御部
６００    タイマ
７００  メモリ
８００  差分電圧データ
【図１】
2006048334.tif 000003
【図２】
2006048334.tif 000004
【図３】
2006048334.tif 000005
【図４】
2006048334.tif 000006
【図５】
2006048334.tif 000007
【図６】
2006048334.tif 000008
【図７】
2006048334.tif 000009
【図８】
2006048334.tif 000010
【図９】
2006048334.tif 000011
【図１０】
2006048334.tif 000012
【図１１】
2006048334.tif 000013